【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
時系列の電子データを記録する複数の記録装置を有し、各記録装置に記録された前記電子データを記憶装置に複製する処理を行う電子データシステムにおける前記記録装置であって、
前記複数の記録装置に含まれる他の記憶装置又は自装置である第１の記録装置に記録された第１の電子データの欠損の期間を示す第１の情報、及び、他の第２の記録装置に記録された第２の電子データの欠損の期間を示す第２の情報を収集する収集手段と、
前記複製の対象となる前記電子データの範囲として前記電子データの記録時刻による時間の範囲により指定された期間の前記第１の電子データを前記記憶装置に複製する処理を行い、更に、前記第１の情報及び前記第２の情報に基づいて、前記指定された期間のうち前記第１の電子データの欠損の期間を含み且つ前記第２のデータの欠損の期間を含まない期間の前記第２の電子データを前記記憶装置に複製する処理を行う複製処理手段と
を有することを特徴とする記録装置。
【請求項２】
時系列の電子データを記録する複数の記録装置を有し、各記録装置に記録された前記電子データを記憶装置に複製する処理を行う電子データシステムにおける前記記録装置であって、
前記複数の記録装置に含まれる他の記憶装置又は自装置である第１の記録装置に記録された第１の電子データの欠損の期間に係る第１の情報、及び、他の第２の記録装置に記録された第２の電子データの欠損の期間に係る第２の情報を収集する収集手段と、
前記複製の対象となる前記電子データの範囲として前記電子データの記録時刻による時間の範囲により指定された期間の開始時刻から前記指定された期間の開始時刻よりも後であって前記第１の電子データの最初の欠損の期間の開始時刻までの期間における前記第１の電子データを前記第１の情報に基づいて前記記憶装置に複製する処理を行い、更に、前記第１の電子データの前記最初の欠損の期間の開始時刻から前記第１の電子データの前記最初の欠損の期間の開始時刻よりも後であって前記第２の電子データの最初の欠損の期間の開始時刻までの期間における前記第２の電子データを前記第２の情報に基づいて前記記憶装置に複製する処理を行う複製処理手段と
を有することを特徴とする記録装置。
【請求項３】
前記収集手段は、前記第１の記録装置が自装置に記録した前記電子データの欠損の有無を検査して生成した前記第１の情報、及び、前記第２の記録装置が自装置に記録した前記電子データの欠損の有無を検査して生成した前記第２の情報を収集することを特徴とする請求項１又は請求項２に記載の記録装置。
【請求項４】
前記複製処理手段が、前記記憶装置に対して複製処理を行った前記第１の電子データと前記第２の電子データとの時系列の関係を示す再生順序情報を、前記複製処理手段が行った複製処理の結果に基づいて生成する再生順序情報生成手段を更に有することを特徴とする請求項１又は請求項２に記載の記録装置。
【請求項５】
前記複数の記録装置のうち、前記複製の対象となる前記電子データの範囲として前記電子データの記録時刻による時間の範囲により指定された期間において前記欠損の期間が最も短い前記電子データを記録した記録装置を前記第１の記録装置として選定する選定手段を更に有することを特徴とする請求項１又は請求項２に記載の記録装置。
【請求項６】
前記複数の記録装置のうち、前記複製の対象となる前記電子データの範囲として前記電子データの記録時刻による時間の範囲により指定された期間において前記欠損の回数が最も少ない前記電子データを記録した記録装置を前記第１の記録装置として選定する選定手段を更に有することを特徴とする請求項１又は請求項２に記載の記録装置。
【請求項７】
前記複数の記録装置のうち、前記複製の対象となる前記電子データの範囲として前記電子データの記録時刻による時間の範囲により指定された期間の開始時刻から当該開始時刻よりも後であって最初の前記欠損の開始時刻までの時間が最も長い電子データを記録した記録装置を前記第１の記録装置として選定し、前記第１の記録装置の前記最初の前記欠損の期間の終了時刻から当該終了時刻よりも後であって最初の前記欠損の開始時刻までの時間が最も長い電子データを記録した記録装置を前記第２の記録装置として選定する選定手段を更に有することを特徴とする請求項２に記載の記録装置。
【請求項８】
時系列の電子データを記録する複数の記録装置を有し、各記録装置に記録された前記電子データを記憶装置に複製する処理を行う電子データシステムにおける前記記録装置の制御方法であって、
収集手段が、前記複数の記録装置に含まれる他の記憶装置又は自装置である第１の記録装置に記録された第１の電子データの欠損の期間を示す第１の情報、及び、他の第２の記録装置に記録された第２の電子データの欠損の期間を示す第２の情報を収集する収集ステップと、
複製処理手段が、前記複製の対象となる前記電子データの範囲として前記電子データの記録時刻による時間の範囲により指定された期間の前記第１の電子データを前記記憶装置に複製する処理を行い、更に、前記第１の情報及び前記第２の情報に基づいて、前記指定された期間のうち前記第１の電子データの欠損の期間を含み且つ前記第２のデータの欠損の期間を含まない期間の前記第２の電子データを前記記憶装置に複製する処理を行う複製処理ステップと
を有することを特徴とする記録装置の制御方法。
【請求項９】
時系列の電子データを記録する複数の記録装置を有し、各記録装置に記録された前記電子データを記憶装置に複製する処理を行う電子データシステムにおける前記記録装置の制御方法であって、
収集手段が、前記複数の記録装置に含まれる他の記憶装置又は自装置である第１の記録装置に記録された第１の電子データの欠損の期間に係る第１の情報、及び、他の第２の記録装置に記録された第２の電子データの欠損の期間に係る第２の情報を収集する収集ステップと、
複製処理手段が、前記複製の対象となる前記電子データの範囲として前記電子データの記録時刻による時間の範囲により指定された期間の開始時刻から前記指定された期間の開始時刻よりも後であって前記第１の電子データの最初の欠損の期間の開始時刻までの期間における前記第１の電子データを前記第１の情報に基づいて前記記憶装置に複製する処理を行い、更に、前記第１の電子データの前記最初の欠損の期間の開始時刻から前記第１の電子データの前記最初の欠損の期間の開始時刻よりも後であって前記第２の電子データの最初の欠損の期間の開始時刻までの期間における前記第２の電子データを前記第２の情報に基づいて前記記憶装置に複製する処理を行う複製処理ステップと
を有することを特徴とする記録装置の制御方法。
【請求項１０】
前記複数の記録装置のうち、前記複製の対象となる前記電子データの範囲として前記電子データの記録時刻による時間の範囲により指定された期間の開始時刻から当該開始時刻よりも後であって最初の前記欠損の開始時刻までの時間が最も長い電子データを記録した記録装置を前記第１の記録装置として選定し、前記第１の記録装置の前記最初の前記欠損の期間の終了時刻から当該終了時刻よりも後であって最初の前記欠損の開始時刻までの時間が最も長い電子データを記録した記録装置を前記第２の記録装置として選定する選定ステップを更に有することを特徴とする請求項９に記載の記録装置の制御方法。
【請求項１１】
時系列の電子データを記録する複数の記録装置を有し、各記録装置に記録された前記電子データを記憶装置に複製する処理を行う電子データシステムにおける前記記録装置に、
前記複数の記録装置に含まれる他の記憶装置又は自装置である第１の記録装置に記録された第１の電子データの欠損の期間を示す第１の情報、及び、他の第２の記録装置に記録された第２の電子データの欠損の期間を示す第２の情報を収集する収集手順と、
前記複製の対象となる前記電子データの範囲として前記電子データの記録時刻による時間の範囲により指定された期間の前記第１の電子データを前記記憶装置に複製する処理を行い、更に、前記第１の情報及び前記第２の情報に基づいて、前記指定された期間のうち前記第１の電子データの欠損の期間を含み且つ前記第２のデータの欠損の期間を含まない期間の前記第２の電子データを前記記憶装置に複製する処理を行う複製処理手順と
を実行させるためのプログラム。
【請求項１２】
時系列の電子データを記録する複数の記録装置を有し、各記録装置に記録された前記電子データを記憶装置に複製する処理を行う電子データシステムにおける前記記録装置に、
前記複数の記録装置に含まれる他の記憶装置又は自装置である第１の記録装置に記録された第１の電子データの欠損の期間に係る第１の情報、及び、他の第２の記録装置に記録された第２の電子データの欠損の期間に係る第２の情報を収集する収集手順と、
前記複製の対象となる前記電子データの範囲として前記電子データの記録時刻による時間の範囲により指定された期間の開始時刻から前記指定された期間の開始時刻よりも後であって前記第１の電子データの最初の欠損の期間の開始時刻までの期間における前記第１の電子データを前記第１の情報に基づいて前記記憶装置に複製する処理を行い、更に、前記第１の電子データの前記最初の欠損の期間の開始時刻から前記第１の電子データの前記最初の欠損の期間の開始時刻よりも後であって前記第２の電子データの最初の欠損の期間の開始時刻までの期間における前記第２の電子データを前記第２の情報に基づいて前記記憶装置に複製する処理を行う複製処理手順と
を実行させるためのプログラム。
【請求項１３】
時系列の電子データを記録する複数の記録装置を有し、各記録装置に記録された前記電子データを記憶装置に複製する処理を行う電子データシステムにおける前記記録装置に、
前記複数の記録装置のうち、前記複製の対象となる前記電子データの範囲として前記電子データの記録時刻による時間の範囲により指定された期間の開始時刻から当該開始時刻よりも後であって最初の前記欠損の開始時刻までの時間が最も長い電子データを記録した記録装置を前記第１の記録装置として選定し、前記第１の記録装置の前記最初の前記欠損の期間の終了時刻から当該終了時刻よりも後であって最初の前記欠損の開始時刻までの時間が最も長い電子データを記録した記録装置を前記第２の記録装置として選定する選定手順を更に実行させるための請求項１２に記載のプログラム。
【手続補正２】
【補正対象書類名】明細書
【補正対象項目名】０００１
【補正方法】変更
【補正の内容】
【０００１】
本発明は、時系列な電子データを記録する記録装置及びその制御方法、並びに、プログラムに関する。
【手続補正３】
【補正対象書類名】明細書
【補正対象項目名】０００７
【補正方法】変更
【補正の内容】
【０００７】
本発明の記録装置は、時系列の電子データを記録する複数の記録装置を有し、各記録装置に記録された前記電子データを記憶装置に複製する処理を行う電子データシステムにおける前記記録装置であって、前記複数の記録装置に含まれる他の記憶装置又は自装置である第１の記録装置に記録された第１の電子データの欠損の期間を示す第１の情報、及び、他の第２の記録装置に記録された第２の電子データの欠損の期間を示す第２の情報を収集する収集手段と、前記複製の対象となる前記電子データの範囲として前記電子データの記録時刻による時間の範囲により指定された期間の前記第１の電子データを前記記憶装置に複製する処理を行い、更に、前記第１の情報及び前記第２の情報に基づいて、前記指定された期間のうち前記第１の電子データの欠損の期間を含み且つ前記第２のデータの欠損の期間を含まない期間の前記第２の電子データを前記記憶装置に複製する処理を行う複製処理手段とを有することを特徴とする。
【手続補正４】
【補正対象書類名】明細書
【補正対象項目名】０００８
【補正方法】変更
【補正の内容】
【０００８】
また、本発明の記録装置は、時系列の電子データを記録する複数の記録装置を有し、各記録装置に記録された前記電子データを記憶装置に複製する処理を行う電子データシステムにおける前記記録装置であって、前記複数の記録装置に含まれる他の記憶装置又は自装置である第１の記録装置に記録された第１の電子データの欠損の期間に係る第１の情報、及び、他の第２の記録装置に記録された第２の電子データの欠損の期間に係る第２の情報を収集する収集手段と、前記複製の対象となる前記電子データの範囲として前記電子データの記録時刻による時間の範囲により指定された期間の開始時刻から前記指定された期間の開始時刻よりも後であって前記第１の電子データの最初の欠損の期間の開始時刻までの期間における前記第１の電子データを前記第１の情報に基づいて前記記憶装置に複製する処理を行い、更に、前記第１の電子データの前記最初の欠損の期間の開始時刻から前記第１の電子データの前記最初の欠損の期間の開始時刻よりも後であって前記第２の電子データの最初の欠損の期間の開始時刻までの期間における前記第２の電子データを前記第２の情報に基づいて前記記憶装置に複製する処理を行う複製処理手段とを有することを特徴とする。
【手続補正５】
【補正対象書類名】明細書
【補正対象項目名】０００９
【補正方法】削除
【補正の内容】